(57)【要約】      （修正有）【課題】織成構造体の機械的抵抗を脆弱化させることなく、設計、動作モードが単純で、迅速かつ経済的であり、１つまたは複数の外部要素を容易に導入することが可能となる織成方法を提案する。【解決手段】少なくとも１つの織成壁部を備える織成構造体を製造する方法であって、ａ）各織成壁部部分を基本的な織り方に従って第１の部分を織るステップと、ｂ）前記織成構造体中における少なくとも１つの細長要素の位置決めに関し緯糸の挿入後に緯糸の導入を停止して、各織成壁部分の経糸と交絡されるステップと、ｃ）前記細長要素が、主軸を有する状態で、経糸間に各細長要素を導入するステップで、この細長要素の挿入位置を画定し、前記主軸は、壁部部分の経糸を通過する面を切断するステップと、ｄ）各細長要素を定位置に維持し、各細長要素が前記織成構造体内に取り込まれない状態で、前記経糸と交絡する新規の緯糸を導入するステップとが実施される方法。【選択図】図１
2017053073.tif 000002
【特許請求の範囲】
【請求項１】
少なくとも１つの織成壁部を備える織成構造体を製造するための方法であって、
ａ）前記織成構造体の少なくとも１つの第１の部分を織成するステップであって、前記第１の部分は、前記第１の部分に対応する各織成壁部部分の基本的な織り方に従って交絡された経糸および緯糸を備える、ステップと、
ｂ）前記織成構造体中における少なくとも１つの細長要素の位置決めに関連する緯糸の挿入後に前記緯糸の導入を停止するステップであって、前記緯糸は、壁部部分の前記基本的な織り方に従って各織成壁部部分の前記経糸と交絡される、ステップと、
ｃ）前記少なくとも１つの細長要素が、主軸を有する状態で、前記経糸間に各細長要素を導入するステップであって、前記経糸は、関連する前記緯糸とともに前記織成構造体内への前記細長要素の挿入位置を画定し、前記細長要素の前記主軸は、前記細長要素が導入される各壁部部分の前記経糸を通過する面を切断する、ステップと、
ｄ）各細長要素を定位置に維持し、前記織成構造体の製造を再開するために各壁部部分の前記基本的な織り方に従ってまたは少なくとも１つの新規の織り方に従って前記織成構造体の前記経糸と交絡する少なくとも１つの新規の緯糸を導入するステップであって、各細長要素が、前記織成構造体内に取り込まれない状態にある、ステップと、
が実施される、方法。
【請求項２】
前記ステップｃ）の終了時に、各細長要素の前記主軸は、前記細長要素が導入される各壁部部分の前記経糸を通過する面に対して垂直かまたは実質的に垂直であることを特徴とする、請求項１に記載の方法。
【請求項３】
複数の細長要素が、前記織成構造体の前記緯糸に沿って導入される、請求項１または２に記載の方法。
【請求項４】
複数の細長要素が、同じ経糸に沿って導入され、前記ステップｂ）から前記ステップｄ）までが繰り返されることを特徴とする、請求項１から３のいずれか一項に記載の方法。
【請求項５】
前記織成構造体は、少なくとも２つの織成壁部を備え、前記細長要素または前記細長要素のうちの少なくとも１つが、少なくとも２つの壁部を横断することを特徴とする、請求項１から４のいずれか一項に記載の方法。
【請求項６】
前記織成壁部は、少なくとも２つの織成壁部を備え、細長要素が、別個の壁部に導入され、前記別個の壁部のうちの少なくともいくつかが、相互に対向側に配置されることを特徴とする、請求項１から５のいずれか一項に記載の方法。
【請求項７】
前記ステップｄ）の後に、前記緯糸の締付けが、このように実現された前記織成構造体において引き起こされ、そのため前記少なくとも１つの細長要素は、前記織成構造体の長さ方向において２つの連続する緯糸の間に拘束されることを特徴とする、請求項１から６のいずれか一項に記載の方法。
【請求項８】
前記織成構造体から突出して配置された各細長要素の部分は、それ自体が短縮される各細長要素の端部が、前記織成構造体の対応する外部表面の下方にまたは同一平面に配置されるように切断されることを特徴とする、請求項１から７のいずれか一項に記載の方法。
【請求項９】
前記細長要素または前記細長要素のうちの少なくとも１つが、前記織成構造体へと組み付けられることを特徴とする、請求項１から８のいずれか一項に記載の方法。
【請求項１０】
前記細長要素または前記細長要素のうちの少なくとも１つが、前記織成構造体に対する前記細長要素の固定を確保するために接着剤でまたは熱硬化性樹脂で事前に含浸されることを特徴とする、請求項９に記載の方法。
【請求項１１】
各細長要素が、前記織成構造体内で前記細長要素が定位置に維持されるのを確保するために、前記細長要素の外部表面が表面起伏を有するように事前に選択または形成されることを特徴とする、請求項９または１０に記載の方法。
【請求項１２】
前記ステップｃ）および前記ステップｄ）において、前記少なくとも１つの細長要素は、前記織成構造体内に配置される前記細長要素全体が直線状になるのを確保するために引っ張られることを特徴とする、請求項１から１１のいずれか一項に記載の方法。
【請求項１３】
三次元織成構造体が単片から形成されることを特徴とする、請求項１から１２のいずれか一項に記載の方法。
【請求項１４】
中空のチューブの形状を有する織成構造体を実現し、細長要素が、少なくとも１つの外周ラインまたはらせんを形成するように前記チューブの周囲上に整列されることにより前記織成構造体と一体化されることを特徴とする、請求項１から１３のいずれか一項に記載の方法。
【請求項１５】
前記細長要素は、中実ワイヤ、金属糸、インサート、補剛ロッド、チューブ、少なくとも１つの直交流封止膜を備えるチューブ、内側壁部がねじ山を有するチューブ、およびこれらの要素の組合せであることを特徴とする、請求項１から１４のいずれか一項に記載の方法。
【請求項１６】
前記細長要素は、チューブであり、前記チューブの内部チャネル内には、前記織成構造体の織成中に前記織成構造体に前記チューブを導入する前または後のいずれかに、測定装置、送信／受信要素を備えるセンサ、電極、固定部材、糸、データストレージ装置、ＲＦＩＤチップなどの識別要素、他のセンサにより測定されたデータを受信および処理するための電子ユニット、およびこれらの要素の組合せが導入されることを特徴とする、請求項１から１５のいずれか一項に記載の方法。
【請求項１７】
少なくともいくつかの導電糸および／または導光糸が、前記織成構造体内に電気供給回路および／またはデータ伝達回路を画定するように経糸および／または緯糸を形成するために導入されることを特徴とする、請求項１から１６のいずれか一項に記載の方法。
【請求項１８】
少なくとも一部分が請求項１から１７のいずれか一項に記載の織成構造体である、スマート衣類。
【請求項１９】
前記織成構造体の前記細長要素のうちの少なくともいくつかが、外部物体をアンカー固定するための手段を備えることを特徴とする、請求項１８に記載の衣類。
【請求項２０】
少なくとも一部分が請求項１から１７のいずれか一項に記載の織成構造体により構成される、シャフトまたは中空ダクト。
【請求項２１】
チューブ形状のネットの内部に受けられるように意図されたカキなどの海貝の支持プレートを形成する少なくとも１つの要素を備える、前記海貝を養殖するための装置において、前記ネットの少なくとも一部分が請求項１から１７のいずれか一項に記載の織成構造体により形成されることを特徴とする装置。
【請求項２２】
プレートを形成する前記要素は、前記プレートの面に対して垂直または実質的に垂直に延在する周囲スカートを備え、前記装置は、前記ネットが前記周囲スカートに対して少なくとも部分的に押し付けられるように前記周囲スカートに前記ネットを組み付けるために部材を備えることを特徴とする、請求項２１に記載の装置。
【請求項２３】
プレートを形成する前記要素は、環状部分を備える支持体であって、前記支持体は、前記支持体の中央部分に開口を画定し、前記周囲スカートは、前記環状部分から起始して垂直にまたは実質的に垂直に延在する、支持体と、前記開口を覆うことにより前記環状部分上に載置されるように意図された取外し可能プレートと、を備えることを特徴とする、請求項２２に記載の装置。
【請求項２４】
前記ネットは、細長要素を備え、前記細長要素は、前記ネットの周囲上に整列または実質的に整列されて、組立て用の１つまたは複数の外周ラインを形成し、プレートを形成する前記要素のおよび前記ネットの組立て用のプレートを形成する要素の周囲スカートが、各前記複数の外周ラインの対向側に配置されることを特徴とする、請求項２２または２３に記載の装置。
【請求項２５】
請求項１から１７のいずれか一項に記載の織成構造体を製造するための機械であって、
緯糸が少なくとも１つのチャネル内に導入される織成エリアであって、前記緯糸のそれぞれが、少なくとも１つの緯糸挿入要素により少なくとも２つの経糸間に挿入される、織成エリアと、前記チャネルまたは前記チャネルのうちの１つを管理し、前記緯糸に対する前記経糸の位置を決定するための手段と、を備える、機械において、
１つまたは複数の細長要素を把持するための少なくとも１つの装置と、前記織成ゾーンの外部および内部を把持して製造中に前記織成構造体内に１つまたは複数の細長要素を定位置に運び配置するために前記装置を変位させるための手段と、を備えることを特徴とする機械。
【請求項２６】
把持するための前記装置は、前記チャネルのうちの少なくとも１つの前記経糸を通過する面に対して各細長要素の前記主軸の傾斜角度を変更することが可能とするように構成されることを特徴とする、請求項２５に記載の機械。
【請求項２７】
製造中に前記織成構造体を越えて延在する前記細長要素の部分を切断するための切断工具を備えることを特徴とする、請求項２５または２６に記載の機械。
【発明の詳細な説明】
【技術分野】
【０００１】
本発明は、スマート衣類、提灯型ネット、または流体輸送用の中空ダクトなどの改良された織成構造体を製造するための方法に関する。
【０００２】
また、本発明は、かかる織成構造体を実現するための改良された織機に関する。
【背景技術】
【０００３】
外海で軟体動物を、特にカキを養殖するための様々な装置が知られており、これらは提灯と似ているため「提灯」とも呼ばれる。
【０００４】
養殖用のかかる装置は、長年にわたり知られており、それらの起源は、例えば地中海沿岸またはアジアのいくつかの国々などの、潮の影響の少ない領域またはさらには潮の影響がゼロの領域を有する国々である。
【０００５】
海貝は、ばら撒かれず、ほぼチューブ形状を有するネットの内部に配置された円形プレート上に配置される。これらのプレートは、このネット内において規則的に離間される。中央テザーにより、これらのプレートが相互に規則的に離間された状態に維持されることによって、これらのプレートの固定が可能となる。
【０００６】
したがって、このネットは、海水の循環を可能にするように、それ自体が、海貝が食および成長に必要となる粒子を捕獲することを可能にするように透過性を有する。
【０００７】
そのため、これらのネットは、海貝が繁殖するように海水内にそれ自体が放置される。これらのネットは、発見されると、海貝を回収するために水から取り出される。
【０００８】
これまで、これらの養殖用の装置は、通常、開口部を有する構造を有しロープの一部分で共に連結された約１０個〜１２個のプレートを備え、これらの全プレートが、海貝を閉じ込めるチューブ形状を有するネット内に受けられるものとなっている。
【０００９】
しばしば、「ベルクロ（登録商標）」タイプの開閉システムが、ネットをその全長にわたって開閉することを可能にしており、それによって、プレートの取出しおよび再装填のためにプレートにアクセスすることが可能となる。
【００１０】
したがって、養殖用の各装置は、水から引き出され、これらの作業を実施するために陸上に運び戻されるか、またはこれらの作業は、船舶上にてそのまま実施されるため、各装置に対する操作および作業を可能にするために大型サイズの船舶が必要となる。
【００１１】
先行技術の養殖用装置は、多数の欠点を有する。
これらの装置は単体からなるため、処置のためにそれらを陸上に運び戻すかまたは大型甲板表面上に保管するためにはそれらを回収することが必要である。
陸上に戻る復路航海か、または常により危険かつ困難である海洋での処置のための常に高額となる船舶の係留のいずれかが必要となるため、処置時間が非常に長くなる。
ネットおよびネットにより囲まれるプレートの組立てが複雑である。したがって、海貝にアクセスするためにこのネットからプレートを取り外すことが、長々と時間のかかるものとなる。また、これらのプレートの一部分のみを処置することが困難である。
ネットが、非常に低品質であり、消耗品と見なされるため、任意の再生処置を用意することなく１回または２回の使用後に廃棄され得るものである。
【００１２】
したがって、元々の設計により、海洋の現場であっても取出し／再装填作業の容易化が、すなわち養殖用装置の完全な取外しを伴わない作業が可能となる、海貝を養殖するための装置に対する差し迫った必要性が存在する。
【００１３】
さらに、外部要素、例えば針(point)を繊維内に導入することにより、例えば繊維の糸の損傷またはさらには切断の出現を通じてこの繊維が局所的に劣化される恐れがあることが周知である。
【００１４】
したがって、外部要素のこの繊維内への導入後には、繊維の機械的抵抗の局所的脆弱化が見られる。
【００１５】
しかし、かかる脆弱化は、特定の状況ではこの繊維が引き裂かれる起点となり得る。
【００１６】
さらに、そのような外部要素の繊維内への導入には力が伴うので、繊維内に易損性の物体を挿入することの実行性は、それにより物体が損傷またはさらには破壊を被りやすくなるという点で、排除される。
【００１７】
したがって、海貝を養殖するための装置および特にそのネットを改良するために、織成分野の専門家である本出願人は、先行技術に解決策が存在しない点と、刷新的な織成方法の必要性と、に気付いた。
【先行技術文献】
【特許文献】
【００１８】
【特許文献１】国際公開第２００９０９５４０４号パンフレット
【発明の概要】
【発明が解決しようとする課題】
【００１９】
本発明は、設計および動作モードが単純であり、迅速かつ経済的であり、それによりこの織成構造体の機械的抵抗を脆弱化させることなくその中に１つまたは複数の外部要素を容易に導入することが可能となる織成構造体を織成するための方法を提案することによって、先行技術の欠点を克服することを目的とする。
【００２０】
本発明の別の目的は、易損性物体を劣化させることなく織成構造体内にこれらの物体を挿入することを可能にする織成構造体を織成するための方法である。
【００２１】
本発明のさらに別の目的は、この構造体内での外部物体の非常に正確かつ簡単な位置決めを可能にするような織成構造体を織成するための方法である。
【００２２】
また、本発明は、織成構造体を織成するためのかかる方法を実装するための織機に関する。
【００２３】
さらに、本発明は、養殖用装置のプレートの取出し／再装填作業を劇的に簡易化する、かかる織成方法により少なくとも部分的に得られるネットを有する海貝を養殖するための装置に関する。
【課題を解決するための手段】
【００２４】
この趣旨で、本発明は、少なくとも１つの織成壁部を備える織成構造体を製造するための方法であって、
ａ）前記織成構造体の少なくとも１つの第１の部分を織成するステップであって、前記第１の部分が、この第１の部分に対応する各織成壁部部分の基本的な織り方に従って相互に交差されたまたは交絡された経糸および緯糸を備える、ステップと、
ｂ）前記織成構造体中における少なくとも１つの細長要素の位置決めに関連する緯糸の挿入後に緯糸の導入を停止するステップであって、この緯糸が、前記壁部部分の基本的な織り方に従って各織成壁部部分の経糸と交絡される、ステップと、
ｃ）前記少なくとも１つの細長要素が主軸を有する状態で、経糸間に各細長要素を導入するステップであって、経糸が、関連する前記緯糸とともに織成構造体内へのこの細長要素の挿入位置を画定し、前記細長要素の主軸が、細長要素が導入される各壁部部分の経糸を通過する面を切断する、ステップと、
ｄ）各細長要素を定位置に維持し、前記織成構造体の製造を再開するために各壁部部分の前記基本的な織り方に従ってまたは少なくとも１つの新規の織り方に従って前記織成構造体の経糸と交絡する少なくとも１つの新規の緯糸を導入するステップであって、各細長要素が、前記織成構造体内に取り込まれない状態にある、ステップと、
が実施される、方法に関する。
【００２５】
この場合に、織成構造体が複数の壁部を備える場合には、壁部部分は、同一の基本的な織り目か、または対照的にそれらのうちの少なくともいくつかについて別個の織り目を有することが可能である。
【００２６】
既知の方法では、繊維の「織り目」を表すために、格子パターンを有する紙を使用する織り目図形を生成するものとして知られる方法が利用されることが当業者に知られており、定義により、この格子パターンの鉛直方向インターラインは経糸を示し、水平方向インターラインは緯糸を示す、すなわち繊維のピックとなることが認められている。
【００２７】
かかる格子パターンにおいて、経糸が緯糸上を移動することを示すことが望ましい場合には、慣例的には、考慮下において経糸のおよび緯糸の交差点に配置されたボックスまたは正方形を彩色することで十分となる。これは、「テイクン(taken)」と呼ばれ、「ライザ(riser)」とも呼ばれる。
【００２８】
「シンカー(sinker)」とも呼ばれる「レフト(left)」に相当するボックスの彩色がないものは、対応する緯糸の下方を経糸が通過することを象徴する。
【００２９】
そのため、特に単純なこの織り目図示方法は、それ自体が、「テイクン」および「レフト」の賢明な組合せによって、織成壁部または繊維における経糸のおよび緯糸の全ての各移動を、なり得る限りにおいて複雑に表現することを可能にする。
【００３０】
本方法のステップｄ）の用語「テイクン（取り込まれる）」は、この意味を有して解釈されなければならないため、織成構造体内に導入される各細長要素が、織成構造体の織成のみによりこの織成構造体に当然ながらリンクされないことが、この方法の技術的定義から明らかになる。このように、織成構造体の織成とは別個の装着ステップ、すなわち適切に述べれば細長要素を囲む経糸および緯糸への細長要素のかかる接着がない状態において、各細長要素は、織成構造体から引き出され得る。
【００３１】
当然ながら、この動作は、結果として細長要素の幾分かの実質的な締付けをもたらすことが可能な望ましい織成構造体の緯糸の圧縮に応じて幾分か複雑になり得る。
【００３２】
織成構造体の織成壁部または織成層は、同一であることが可能であり、またはそれらの少なくともいくつかに関して異なる寸法または形状を有することが可能である。
【００３３】
したがって、織成構造体に１つまたは複数の細長要素を導入するために織成を停止することが、織成構造体内におけるこのまたはこれらの細長要素の位置に直接関連する緯糸に関して見出される。これは、この緯糸が、細長要素を囲む織成構造体の糸のうちの１つであることを意味する。当然ながら、ステップｂ）からステップｄ）は、織成構造体の別の緯糸に関連付けられた位置を有する１つまたは複数の新規の細長要素がこの織成構造体に導入されるべき場合にはその都度繰り返される。したがって、これらの動作は、緯糸がこの構造体内における１つまたは複数の細長要素の位置決めに関連する織成構造体の何であるかを事前に決定することを必要とする。また、織成の停止を引き起こすために、織機の各チャネルにこれらの緯糸を案内および導入することのモニタリングも必要となる。しかし、直近のワイヤに対するようなかかる方法は、織成構造体を機械的に脆弱化させることなく織成構造体内における細長要素の非常に正確な位置決めを可能にする。
【００３４】
細長要素は、その長手方向の寸法に沿って延在する主軸を有し、例としては、細長要素は、中実糸、金属糸、インサート、補剛ロッド、チューブ、少なくとも１つの直交流封止膜を備えるチューブ、内側壁部がねじ山を有するチューブ、およびこれらの要素の組合せである。
【００３５】
有利には、この細長要素は、卵形のまたは円形の直線状断面からなる。
【００３６】
チューブ内に配置された２つの封止膜により、例えば水などから前記チューブ内に配置された外部物体を保護するために封止されたハウジングを画成することが可能となり得る。
【００３７】
細長要素がインサートである場合には、有利には、インサートは、主要中空体と、この中空体の一方の端部に少なくとも位置する、外側に延在するカラーと、を有する。インサートが、その自由端部に、かかるカラーを備える場合には、カラーは、この中空体の外側壁部と共に、この織成構造体内へのインサートの位置の阻止をそれ自体が確保するために織成構造体の周囲ゾーンを保持するように意図されたハウジングを画成する。この場合に、カラーは、織成構造体のこの周囲ゾーンに対して対接または当接静止する。
【００３８】
さらに、チューブ形状を有する細長要素が、外部物体を受けることが可能である。
【００３９】
さらに、このチューブの内側壁部の少なくとも一部分がねじ山を有する場合には、有利には、この外部物体は、定位置にロックされ得る。この場合に、かかる外部物体は、例えばインサート、固定装置、または測定装置であることが可能である。
【００４０】
有利には、この場合に、この外部物体は、チューブの内側壁部と接触状態になるように意図されたその連結ゾーンの少なくとも一部分上に少なくとも１つの摩擦ゾーン、溝、またはねじ山等を備えることが可能であり、この摩擦ゾーンにより、流体の圧力の影響下でこの外部物体が抜けるのを防止することが可能である。
【００４１】
好ましくは、この細長要素は、織成構造体を通過することで例えばかかる細長要素により連結されたこの織成構造体の２つの壁部を分離することが可能となるように分離され得る。
【００４２】
この場合に、例としては、かかる細長要素は、最終使用の前に織成構造体をコンパクトに維持するために使用され得る。
【００４３】
例示を目的として、分離され得る要素は、中空または中実の第１の長手方向要素と、第２の中空長手方向要素またはこの第１の要素を少なくとも部分的に受けるために長手方向空洞を有する第２の中空長手方向要素と、を組み付けることにより実現され、第１の長手方向要素は、第２の中空長手方向要素に対して可動であり、第２の中空長手方向要素から分離され得る。代替的には、この細長要素は、破壊力が１つまたは複数の予め規定された片に印加された場合に１つまたは複数の予め規定された片へと確実に分離するように少なくとも１つの易損ゾーンを有する糸またはチューブであることも可能である。例えば、この易損ゾーンは、抵抗が非常に小さいラインにより形成され得る。そのため、細長チューブの場合には、この細長チューブは、非常に低い抵抗を有するこのラインを画定するために、相互に離間されこのチューブの周囲上に配置された破損開始穴のセットを備えることが可能である。金属糸の場合には、この金属糸自体は、分離ラインを画定する円形溝を備えることが可能である。
【００４４】
本発明は、ある特定のタイプの糸に限定されず、「糸」という用語は、織物分野において許容される最も広い意味において理解されなければならない点が明らかである。
【００４５】
専ら情報提示を目的として、この織成構造体を実現するために実装される経糸および緯糸は、単フィラメント糸、マルチフィラメント糸、平坦糸、共に撚り合わされることにより維持された繊維から形成された糸、シンプル糸またはロータ紡績糸、撚糸の組紐、可撓性ストランドなどの撚り合わされるまたは撚り合わされない可撓性マルチストランド要素からなる群より選択される。
【００４６】
織成構造体を構成するこれらの糸は、同一であるか、または対照的にそれらのうちの少なくともいくつかについて異なるものであることが可能である。また、これらの糸は、異なる厚さまたは直径を有することが可能である。
【００４７】
例として、これらの糸は、綿、羊毛、亜麻、またはその他などの有機材料糸、ポリエステル、ポリアミド、ポリプロピレン、ポリエチレン、ポリアラミド等の合成糸、可塑性でんぷんベースの生物分解性ベースの材料からまたは酸素分解性プラスチック材料から作製された糸、炭素、グラファイト、ガラス、アスベスト、またはその他などの無機材料糸、ならびに鋼、アルミニウム、合金、またはその他などの金属糸からなる群より選択され得る。
【００４８】
本発明は、この織成構造体の実現において複数の異なる材料を使用することが可能であることを、または対照的に同じ単一の材料から作製された織成構造体を実現することが可能であることを含む。
【００４９】
この織成構造体が単一の壁部を備える場合に、または織成構造体の各壁部が同一の織り目を有する場合に、この発明の織成構造体を製造するための方法は、以下の通りに定義され得る。
【００５０】
少なくとも１つの織成壁部を備える織成構造体を製造するための方法であって、
ａ）前記織成構造体の少なくとも１つの第１の部分を織成するステップであって、前記第１の部分が、基本的な織り方に従って交絡された経糸および緯糸を備える、ステップと、
ｂ）前記織成構造体中における少なくとも１つの細長要素の位置決めに関連する緯糸の挿入後に緯糸の導入を停止するステップであって、この緯糸が、この基本的な織り方に従って経糸と交絡される、ステップと、
ｃ）前記少なくとも１つの細長要素が主軸を有する状態で、経糸間に各細長要素を導入するステップであって、経糸が、関連する前記緯糸とともに織成構造体内への細長要素の挿入位置を画定し、前記細長要素の主軸が、細長要素が導入されるこの第１の部分の各壁部部分の経糸を通過する面を切断する、ステップと、
ｄ）前記少なくとも１つの細長要素を定位置に維持し、前記織成構造体の製造を再開するために基本的な織り方に従ってまたは新規の織り方に従って前記織成構造体の経糸と交絡する少なくとも１つの新規の緯糸を導入するステップであって、各細長要素が、前記織成構造体内に取り込まれない状態にある、ステップと、
が連続的に実施される、方法。
【００５１】
換言すれば、前記少なくとも１つの細長要素は、前記織成構造体への織成作業によってリンクされないが、接着またはその他などの織成とは別個の作業により前記織成構造体と組み付けられ得るまたは一体化される。
【００５２】
このようにすることで、織成のみによる織成構造体の実現は、この織成構造体内で各細長要素を自由にさせる。そのため、織成構造体から細長要素を引き抜くまたは引き出すことが可能となる。
【００５３】
この織成方法の種々の特定の実施形態において、各実施形態は、その特定の利点を有し、多数の技術的に許容される組合せを有する傾向がある：
ステップｃ）の終了時に、各細長要素の主軸は、細長要素が導入される各壁部部分の経糸を通過する面に対して垂直かまたは実質的に垂直である。
複数の細長要素が、織成構造体の同一の緯糸に沿って導入される。
【００５４】
単一の細長要素が、この織成構造体の壁部にリンクされたマーキング内の座標（ｘ、ｙ）点にて織成構造体に導入される。代替的には、複数の細長要素が、織成構造体の同一点に同時に導入される。
複数の細長要素が、同一の経糸に沿って導入され、ステップｂ）からステップｄ）までが繰り返される。
【００５５】
これらの細長要素は、相互に規則的に離間されるまたはされないことが可能である。
【００５６】
また、これらの細長要素は、織成構造体がチューブ状三次元形状を有する場合にらせんとして、星形、円形、三角形、正方形もしくは矩形などの平行六面体などの１つまたは複数のパターンを形成するように構成され得る。
この織成構造体は、少なくとも２つの織成壁部を備え、前記細長要素または細長要素のうちの少なくとも１つが、少なくとも２つの壁部を通過する。
前記織成壁部は、少なくとも２つの織成壁部を備え、細長要素が、別個の壁部に導入され、別個の壁部のうちの少なくともいくつかが、相互に対向側に配置される。
ステップｄ）の後に、緯糸の締付けが、このように実現された織成構造体において引き起こされ、前記少なくとも１つの細長要素自体は、織成構造体の長さ方向において２つの連続する緯糸の間に拘束される。
前記織成構造体から突出して配置された各細長要素の部分は、それ自体が短縮される各細長要素の端部が、前記織成構造体の対応する外部表面の下方にまたは同一平面に配置されるように切断される。
【００５７】
これらの端部同士が同一平面である場合には、これらは、この織成構造体の対応する外部表面と対応するレベルに配置されるとも言える。この切断前に、ポリマー層が、例えば任意のポリマーオーバーモールド成形方法（加硫、コーティング等）などにより織成構造体の少なくとも２つの外部面上に固定され得る。
【００５８】
かかるポリマー層の実現により、より良好なシールだけでなく、この構造体を切断および劣化させ得る物体などの外部侵害物に対するより高い抵抗が、この織成構造体に与えられる。
【００５９】
有利には、このポリマーはエラストマーである。
前記細長要素または前記細長要素のうちの少なくとも１つが、織成構造体へと組み付けられる。
【００６０】
好ましくは、前記細長要素または前記細長要素のうちの少なくとも１つが、前記織成構造体に対する細長要素の固定を確保するために接着剤でまたは熱硬化性樹脂で事前に含浸される。
【００６１】
代替的にはまたは追加的には、各細長要素が、前記織成構造体内で細長要素が定位置に維持されるのを確保するために、細長要素の外部表面が表面起伏を有するように事前に選択または形成される。
ステップｃ）およびステップｄ）において、前記少なくとも１つの細長要素は、前記構造体内に配置される前記細長要素全体が直線状になるのを確保するために引っ張られる。
【００６２】
そのようにして、張力下に細長要素をおくことにより、細長要素がその形状を保持することが確保される。例えば、チューブの内部チャネルは、偶発的には挟まれず、結果として閉じられない。
三次元織成構造体は、単片から形成される。
【００６３】
したがって、この織成構造体は、例えば縫い付け針(point of stitching)、ステープル、またはその他などの組付け要素を備えない。例示を目的として、かかる織成構造体は、本出願人による特許文献１に示される。
中空チューブの形状を有する織成構造体を実現し、細長要素が、少なくとも１つの外周ラインまたはらせんを形成するように前記チューブの周囲部上に整列されることにより前記織成構造体と一体化される。
【００６４】
これらの細長要素は、中空チューブの内部に糸を導入し、別の点にてその糸を出すことを可能にするために、相互に離間された少なくとも２つの外周ラインを形成することが可能である。糸は、これらの２つの点の間において自由であるため、有利には固定用の剛性リングなどのパーツを受けることが可能となる。
前記細長要素は、中実糸、金属糸、インサート、補剛ロッド、チューブ、少なくとも１つの直交流封止膜を備えるチューブ、内側壁部がねじ山を有するチューブ、およびこれらの要素の組合せである。
前記細長要素は、チューブであり、前記チューブの内部チャネル内には、前記織成構造体の織成中に前記織成構造体に前記チューブを導入する前または後のいずれかに、測定装置、送信／受信要素を備えるセンサ、電極、固定部材、糸、データストレージ装置、ＲＦＩＤチップなどの識別要素、他のセンサにより測定されたデータを受信および処理するための電子ユニット、およびこれらの要素の組合せが導入される。
【００６５】
専ら情報提示を目的として、センサは、圧力センサ、温度センサ、または湿度センサであることが可能である。例えば、これは、ユーザの身体と衣類の一部の内側表面との間に位置する空気層の温度／湿度を測定するための装置であることが可能であり、１つまたは複数のチューブが一体化される。これらのチューブは、ユーザの心拍数を測定するための電極、測定値を処理するための電子ユニット等を受けることが可能である。
少なくともいくつかの導電糸および／または光ファイバなどの導光糸が、前記織成構造体内に電気供給回路および／またはデータ伝達回路を画定するために経糸および／または緯糸を形成するように導入される。
【００６６】
かかる電気供給回路が外部電源に接続されることにより、細長要素に加えられた外部要素に給電することが可能である。
【００６７】
例としては、この細長要素が、電球などの光源を受けるように形状合致された支持体であることにより、この電源回路は、この光源に給電するために使用することが可能となる。
【００６８】
代替的には、この細長要素は、カメラなどの光学装置を受けるように形状合致され得る。この場合には、伝導糸が、この光学装置にエネルギーを供給するために使用され得ると共に、他の伝導糸が、ストレージユニットまたは分析ユニットに測定信号を伝送するために使用される。
【００６９】
当然ながら、有利には、これらの伝導糸は、可撓性絶縁材料から作製された外側コアにより絶縁される。
【００７０】
また、本発明は、少なくとも一部分が上述したものなどの織成構造体であるスマート衣類の一部に関する。
【００７１】
このスマート衣類の一部は、例えば生体医用センサと導電糸によりこれらのセンサに接続された電気エネルギーの電源とを備える、患者用の医療モニタリング衣類の一部であることが可能である。
【００７２】
好ましくは、この織成構造体の前記細長要素の少なくともいくつかが、外部物体をアンカー固定する手段を備える。
【００７３】
この細長要素がチューブである場合には、かかるアンカー固定手段は、例えばこのチューブの内側表面のねじ山部分となる。
【００７４】
さらに、インサートが、追加され、細長要素にアンカー固定され得る。このインサートは、外部物体用の固定装置をその自由端部に備える。この固定装置は、例えばリングであることが可能である。
【００７５】
この外部物体は、キーリング、一対の手錠用の支持体、またはペッパースプレーなどのガスを噴霧するための装置などの防御用手動装置であることが可能である。この場合には、有利には、かかる支持体は、複数の細長要素のセット内にアンカー固定される。
【００７６】
かかる衣類の一部は、軍事分野、安全関連の監視、スポーツ等における用途を有する。
【００７７】
さらに、本発明は、少なくとも一部分が上述したものなどの織成構造体であるシャフトまたは中空ダクトに関する。
【００７８】
かかるシャフトまたは中空ダクトは、流体（ガス、水などの液体）の輸送などの様々な用途において使用され得る。
【００７９】
このシャフトまたはダクトの壁部を通過する細長要素は、例えば測定センサ（流量、圧力等）を受けることが可能である。
【００８０】
このダクトを封止するために、上述のようなこのダクトの外部表面および／または内側表面にポリマー層を固定することが可能である。このポリマーは、エラストマー（ニトリル等）、ポリ塩化ビニル（ＰＶＣ）等であることが可能である。
【００８１】
また、本発明は、チューブ形状のネットの内部に受けられるように意図されたカキなどの海貝の支持プレートを形成する少なくとも１つの要素を備える、前記海貝を養殖するための装置に関する。
【００８２】
本発明によれば、このネットの少なくとも一部分が、上述したものなどの織成構造体により形成される。
【００８３】
かかるネットは、当然ながら養殖用装置の周囲および中に海流の循環を確保するための開口部を有する構造を有する。
【００８４】
例示を目的として、プレートを形成するこの要素は、プレートの面に対して垂直または実質的に垂直に延在する周囲スカートを備え、この装置は、前記ネットがこのスカートに対して少なくとも部分的に押し付けられるようにこのスカートにネットを組み付けるために部材を備える。
【００８５】
好ましくは、プレートを形成するこの要素は、環状部分を備える支持体であって、この支持体は、この支持体の中央部分に開口を画定し、前記周囲スカートは、この環状部分から起始して垂直にまたは実質的に垂直に延在する、支持体と、前記開口を覆うことによりこの環状部分上に載置されるように意図された取外し可能プレートと、を備える。
【００８６】
この取外し可能プレートは、海水の良好な循環を可能にするために開口部を有する構造を有する。
【００８７】
この養殖用装置の少なくとも上方端部は、海で固定されるホーサから鉛直方向にこの養殖用装置を懸吊することを可能にするための少なくとも１つの固定装置を備える。
【００８８】
好ましくは、このネットは、細長要素を備え、細長要素は、ネットの周囲上に整列または実質的に整列されて、組立て用の１つまたは複数の外周ラインを形成し、プレートを形成する要素のおよび前記ネットの組立て用のプレートを形成する要素の周囲スカートが、各複数の外周ラインの対向側に配置される。
【００８９】
好ましくは、この組立は非永久的なものである。
【００９０】
組立ては、例えば糸を用いた連結によってなど複数の方法で実施され得るが、細長要素は、プレートを形成する要素およびネットの組付けを確保するために固定装置を中に導入するチューブであることが可能である。
【００９１】
例としては、かかる固定装置は、このプレートの周囲スカートに対してネットを外部から締め付けるおよび押し付けるための丸み形状を有する部分と、ほぞなどの少なくとも１つの突出要素と、を備える。このほぞは、各ほぞがここではチューブである対応する細長要素に導入されると、それらを組み付けるために細長要素および周囲スカートの開口を通過することを可能にする長さおよび直径を有する。各ほぞの端部は、ほぞの本体の突出部を形成する保持要素を備え、この端部は、相互に対して可動である２つのウィングを画定するように分けられる。そのため、これらのウィングは、細長要素へのほぞの導入中には共により近づき、この細長要素と、プレートを形成する要素の周囲スカートの対応するオリフィスと、を通過した後には阻止位置にて分かれる。固定装置に対して印加される牽引力は、２つのウィングを一体にさせて、細長要素／周囲スカートのオリフィスユニットから固定装置が外れるのを可能にすることにより、プレートを形成する要素のネットを解放する。
【００９２】
さらに、本発明は、上述したものなどの織成構造体を製造するための機械に関する。この機械は、緯糸が少なくとも１つのチャネルに導入される織成エリアであって、前記緯糸のそれぞれが、少なくとも１つの緯糸挿入要素により少なくとも２つの経糸間に挿入される、織成エリアと、前記チャネルまたは前記チャネルのうちの１つを管理し、前記緯糸に対する前記経糸の位置を決定するための手段と、を備える。
【００９３】
本発明によれば、この機械は、１つまたは複数の細長要素を把持するための少なくとも１つの装置と、織成ゾーンの外部および内部を把持して製造中に前記織成構造体内に１つまたは複数の細長要素を定位置に運び配置するためにこの装置を変位させるための手段と、を備える。
【００９４】
有利には、把持するためのこの装置は、チャネルの中の少なくとも１つの経糸を通過する面に対して各細長要素の主軸の傾斜角度を変更することが可能となるように構成される。
【００９５】
好ましくは、各細長要素は、前記面に対して垂直にまたは実質的に垂直に導入される。
【００９６】
有利には、この機械は、製造中に前記織成構造体を越えて延在する細長要素の部分を切断するための切断工具を備える。
【００９７】
本発明の他の利点、目的、および特有の特徴が、添付の図面に関して情報提示を目的とし非限定的になされた以下の説明において明らかになろう。
【図面の簡単な説明】
【００９８】
【図１】本発明の特定の一実施形態による海貝を養殖するための装置を示す概略外形図である。この養殖用装置のネットおよび取外し可能プレートは、明瞭化のために省略されている。
【図２】明瞭化のためにネットのみが除去された、図１の海貝を養殖するための装置の部分図である。
【図３】図１の海貝を養殖するための装置の可動プレートの斜視図である。
【図４】図１の養殖用装置の構造体に対するプレート支持部の組付けを示す、海貝を養殖するための装置のプレートのうちの１つの拡大部分図である。
【図５】図１の海貝を養殖するための装置のネットの斜視図である。
【発明を実施するための形態】
【００９９】
初めに、図面は縮尺どおりではない点に留意されたい。
【０１００】
図１〜図５は、本発明の好ましい一実施形態によるカキなどの海貝を養殖するための装置を概略的に示す。
【０１０１】
海貝を養殖するためのかかる装置１０は、鉛直方向に配置されることにより外海の浅い深度に浸漬されるホーサから懸吊されるように意図される。
【０１０２】
この装置１０は、チューブ形状を有するネット１１と、このネット１１と協働して閉鎖支持体を構成するプレートを形成する要素と、を備え、プレートは、この装置１０の主軸に沿って規則的に離間され、養殖されることとなる海貝を受けるように装置１０の主軸に対して垂直に延在する。
【０１０３】
各プレート要素は、リング１２を備え、リング１２は、エンド材１３(end 13)により一方では養殖用装置の他のプレート要素のリング１２に連結され、他方では下方力吸収要素１４および上方力吸収要素１５に連結される。
【０１０４】
ここでは、養殖用装置のこれらの力吸収要素１４、１５は、より好ましくはステンレス鋼から作製された十字体により構成される。
【０１０５】
力吸収要素１４、１５の各枝部１６の自由端部は、エンド材１３が通過するためのオリフィスを有する。
【０１０６】
ここでは、４つのこれらのエンド材１３が、養殖用装置の周囲に規則的に分布する。これらのエンド材１３は、リングなどの固定装置１７によって各端部により共に組み付けられて、海貝を養殖するための装置を一方ではエンド材１３の上方部分においてホーサに、他方ではエンド材１３の下方部分においてレスト(lest)に固定することが確保される。
【０１０７】
力吸収要素１４、１５間において、これらのエンド材１３は、引っ張られることにより、および定位置への装着および維持を確保するためにプレートを形成する要素の各リング１２に組み付けられることにより、鉛直方向に延在する。
【０１０８】
各リング１２が、プレートを形成する要素の中央開口部分を画定し、取外し可能プレート１８がその中に配置される。リング１２の外径未満の外径を有するこの取外し可能プレート１８は、このプレートのハウジング内に受けられ、このハウジングは、内側円形溝１８により画定される。
【０１０９】
そのようにハウジング内に受けられるこの取外し可能プレート１８は、対応するリング１２により画定された開口を閉じる。
【０１１０】
各取外し可能プレート１８は、海水の良好な循環を可能にするために開口部を有する構造を有する。取外し可能プレート１８は、プラスチック材料から作製され、海貝の収集を容易にするための中央折り目ラインを備えることが可能である。
【０１１１】
かかる取外し可能プレート１８により、取外し可能プレートのみがネット１１からの取外し後に回収されて、装置が海に留まることが可能となるため、海貝を養殖するための装置の取出し／再装填作業の容易化が可能となる。
【０１１２】
当然ながら、かかるネット１１は、養殖用装置の周囲および中の海流の循環を確保するための開口部を有する構造を有する。
【０１１３】
したがって、海水循環に対してプレートを形成する要素上に載置された海貝を最適な状態でさらすことが確保され、これは、成長中の海貝の喪失を防止しつつ海貝の成長を助長する。
【０１１４】
プレートを形成する要素にアクセスするために装置の上方部分に容易に引き上げられ得るように可撓性を有するこのネット１１は、織成中にこのネット１１に導入されるチューブ１９を備える。
【０１１５】
有利には、各チューブ１９は、プレートを形成する各要素にネット１１を組み付けることが容易になるように、垂直または実質的に垂直にネットの織成構造体中に導入される。
【０１１６】
例として、これらのチューブ１９は、ステンレス鋼またはプラスチック材料から作製され得る。
【０１１７】
さらに、これらのチューブ１９は、相互から規則的に離間されネット１１の主軸に対して垂直である組付け用の複数の外周ラインを画定することによって、このネット１１の周囲に整列または実質的に整列される。
【０１１８】
組付け用の各外周ラインは、対応するネット１１とのこの要素の組付けのために、プレートを形成する要素の対向側に来るように意図される。
【０１１９】
かかる組み付けは、海貝を養殖するための装置の取出し作業および再装填作業を容易にするように容易に外すことが可能でなければならない。
【０１２０】
組立ては、様々な方法で実施され得るが、ここでは、ロッドを備える固定装置が使用され（図示せず）、ロッドは、チューブ１９の内部チャネルに導入されるように意図され、このチューブ１９を、および結果としてそのねじ山端部がリング１２の横ねじ穴内に組み付けられるようにネット１１の壁部を通過し得るような長さを有する。また、この固定装置は、オペレータによる操作のための、およびネット１１のリング１２に対する押付けを確保するための幅広ヘッドを備える。
【符号の説明】
【０１２１】
１０  装置
１１  ネット
１２  リング
１３  エンド材
１４  下方力吸収要素
１５  上方力吸収要素
１６  枝部
１７  固定装置
１８  取外し可能プレート
１９  チューブ
【図５】
2017053073.tif 000003
【図１】
2017053073.tif 000004
【図２】
2017053073.tif 000005
【図３】
2017053073.tif 000006
【図４】
2017053073.tif 000007
【外国語明細書】
2017053073000001.pdf